(57)【要約】【課題】サーミスター近傍に付着するほこりによる誤動作を防止する。【解決手段】サーミスター１１の検知温度が燃焼状態の異常を想定して設定された第１の過熱防止温度Ｒに到達した場合に運転を停止し、かつ運転開始して最大能力にて所定時間を連続経過した場合は連続経過後のサーミスター１１の検知温度により第１の過熱防止温度Ｒ１を補正し、連続経過しない場合は直前に連続経過した際の補正を維持した第１の過熱防止温度Ｒ２に制御する運転制御装置を備えたものである。【選択図】図１
2007003054.tif 000002
【特許請求の範囲】
【請求項１】
空気吸気口と温風吹出口を有するケーシングと、供給された燃料を燃焼するバーナーと、燃焼で発生する排ガスに外部から取入れた空気を混合する風路と、混合した温風を外部へ送出す送風ファンと、送風ファンを駆動するモーターと、風路に取付けた燃焼状態を温度検知するサーミスターとを有し、検知温度が燃焼状態の異常を想定して設定された第１の過熱防止温度に到達した場合に運転を停止し、かつ運転開始して最大能力にて所定時間を連続経過した場合は連続経過後のサーミスターの検知温度により第１の過熱防止温度を補正し、連続経過しない場合は直前に連続経過した際の補正を維持した第１の過熱防止温度に制御する運転制御装置とを備えた温風暖房機の過熱防止装置。
【請求項２】
運転開始して一つの能力にて所定時間を連続経過した場合は連続経過後のサーミスターの検知温度とその能力により第１の過熱防止温度を補正し、連続経過しない場合は直前に連続経過した際の補正を維持した第１の過熱防止温度に制御する運転制御装置とを備えた請求項１に記載の温風暖房機の過熱防止装置。
【請求項３】
燃焼状態の異常にて運転を停止する第１の過熱防止温度と、それより以前に燃焼状態の異常の兆候を報知する第２の過熱防止温度（＜第１の過熱防止温度）を有し、運転開始して最大能力にて所定時間を連続経過した場合は連続経過後のサーミスターの検知温度により第１の過熱防止温度と第２の過熱防止温度を補正し、連続経過しない場合は直前に連続経過した際の補正を維持した第１の過熱防止温度と第２の過熱防止温度に制御する運転制御装置とを備えた請求項１に記載の温風暖房機の過熱防止装置。
【請求項４】
運転開始して最大能力にて所定時間を連続経過した場合は連続経過後のサーミスターの検知温度と室内温度により第１の過熱防止温度を補正し、連続経過しない場合は直前に連続経過した際の補正を維持した第１の過熱防止温度に制御する温度補正装置とを備えた請求項１に記載の温風暖房機の過熱防止装置。
【発明の詳細な説明】
【技術分野】
【０００１】
本発明は、温風暖房機の燃焼状態の異常を検知する過熱防止装置に関するものである。
【背景技術】
【０００２】
従来、この種の温風暖房機の過熱防止装置は特許文献１にあるように、機器の燃焼状態を判定するサーミスターにより温度を検知し、あらかじめ異常状態を想定して設定された過熱防止温度に達すると運転停止に至る（例えば、特許文献１参照）。
【０００３】
図５は、従来の温風暖房機の構成断面図、図６は従来の温風暖房機の燃焼状態異常時のフローチャートを示す。
【０００４】
図５に示すように、機器後面に設けた吸気口１、そこから取入れる空気２、燃料の供給量を制御する燃料供給装置３、その燃料を燃焼するバーナー４、その燃焼で発生する排ガス５、その排ガス５と前記空気２とを混合する風路６、その混合された空気を外部へ送出す送風ファン７、それを駆動するモーター８、機器前面に設けた吹出口９、温風１０、前記風路６に設けたサーミスター１１、燃焼状態の異常の有無を判定して機器運転能力の制御を行う運転制御装置１２の構成からなる。
【０００５】
上記構成による動作を図６に基づいて説明すると、運転ＳＷがONされて運転が開始され、運転制御装置１２によりあらかじめ設定された適量の燃料および駆動電圧を制御し、その制御に応じて燃料供給装置３はバーナー４に燃料を供給して燃焼し、モーター８は駆動して送風ファン７を回転する。
【０００６】
これらにより、排ガス５と外部の空気２との混合された空気を吹出口９より外部へ送出す。
【０００７】
次に、機器の燃焼状態に異常が生じた場合、運転制御装置１２により、燃焼中に常時検出するサーミスター１１の温度Ｔが、あらかじめ機器の燃焼状態に異常が生じた場合を想定した過熱防止温度Ｒに対して、Ｔ≧Ｒであるかどうかの判定、およびＴ≧Ｒである場合に運転停止の判定を行う。その判定に基づき燃料供給装置３はバーナー４への燃料供給を停止して燃焼を停止し、モーター８は駆動を停止して送風ファン６の回転を停止する。
【特許文献１】特開平６−１１２３４２５号公報
【発明の開示】
【発明が解決しようとする課題】
【０００８】
しかしながら、前記従来の動作では、機器の使用にてほこりがサーミスター１１近傍に多く蓄積された場合、あらかじめ想定している燃焼状態の異常には至っていない場合でも運転停止することがある。
【０００９】
これは蓄積されたほこりが燃焼の輻射熱を吸収しやすくなり、サーミスター１１の検知する温度Ｔを上昇させる傾向があるためであり、本来の燃焼状態の異常とは想定しない範囲での運転停止である。
【００１０】
よって、このような誤動作の場合、サーミスター１１の近傍に蓄積したほこりを除去することにより正規の動作をするようになるが、さらに機器の使用をすることにより、再度誤動作に至る可能性は否めない。
【課題を解決するための手段】
【００１１】
前記従来の課題を解決するために、本発明の温風暖房機の過熱防止装置は、あらかじめ機器の燃焼状態に異常が生じた場合を想定した過熱防止温度を常に一定にするのではなく、運転開始後に最大能力にて所定時間を連続経過した場合のみ、その連続経過後のサーミスターの温度により第１の過熱防止温度を補正する。連続経過しない場合は直前に連続経過した際の補正を維持した第１の過熱防止温度とする。
【００１２】
よって常時検出するサーミスターの温度が上記の補正した過熱防止温度に達すると運転停止する。
【００１３】
また、運転開始後に最大能力に限らず、一つの能力にて所定時間を連続経過した場合にのみ、その連続経過後のサーミスターの温度とその能力により第１の過熱防止温度を補正する。連続経過しない場合は直前に連続経過した際の補正を維持した第１の過熱防止温度とする。
【００１４】
また、運転停止をする過熱防止温度１より早期に燃焼状態の異常を兆候として報知する第２の過熱防止温度（＜第１の過熱防止温度）を有する。
【００１５】
また、運転開始後に最大能力にて所定時間を連続経過した場合のみ、その連続経過後のサーミスターの温度と室内温度により第１の過熱防止温度を補正する。連続経過しない場合は直前に連続経過した際の補正を維持した第１の過熱防止温度とする。
【発明の効果】
【００１６】
本発明の温風暖房機の過熱防止装置は、機器の使用にてほこりがサーミスター近傍に蓄積されて起こりうる運転停止などの誤動作を防止することができる。
【００１７】
つまり、燃焼状態の異常を風路の温度検知にて判定しているが、都度の使用初期のサーミスターの温度を検知して、燃焼状態以外の環境条件（サーミスター周囲のほこりの付き具合）を考慮して第１の過熱防止温度の補正を行うことにより、使用中での温度変化量として捕らえることが可能となり、早期に誤動作を生じるのが少なくなる。
【００１８】
また、機器の使用環境に対して柔軟な対応が可能になる。
【００１９】
以上より、使用される環境条件のほこり量・室内温度・部品ばらつきなどの多くの要因に対して対応しやすくなる。
【発明を実施するための最良の形態】
【００２０】
第１の発明は、空気吸気口と温風吹出口を有するケーシングと、供給された燃料を燃焼するバーナーと、燃焼で発生する排ガスに外部から取入れた空気を混合する風路と、混合した温風を外部へ送出す送風ファンと、送風ファンを駆動するモーターと、風路に取付けた燃焼状態を温度検知するサーミスターとを有し、検知温度が燃焼状態の異常を想定して設定された第１の過熱防止温度に到達した場合に運転を停止し、かつ運転開始して最大能力にて所定時間を連続経過した場合は連続経過後のサーミスターの検知温度により第１の過熱防止温度を補正し、連続経過しない場合は直前に連続経過した際の補正を維持した第１の過熱防止温度に制御する運転制御装置とを備えている。
【００２１】
第２の発明は、運転開始して一つの能力にて所定時間を連続経過した場合は連続経過後のサーミスターの検知温度とその能力により第１の過熱防止温度を補正し、連続経過しない場合は直前に連続経過した際の補正を維持した第１の過熱防止温度に制御する運転制御装置とを備えている。
【００２２】
第３の発明は、燃焼状態の異常にて運転を停止する第１の過熱防止温度と、それより以前に燃焼状態の異常の兆候を報知する第２の過熱防止温度（＜第１の過熱防止温度）を有し、運転開始して最大能力にて所定時間を連続経過した場合は連続経過後のサーミスターの検知温度により第１の過熱防止温度と第２の過熱防止温度を補正し、連続経過しない場合は直前に連続経過した際の補正を維持した第１の過熱防止温度と第２の過熱防止温度に制御する運転制御装置とを備えている。
【００２３】
第４の発明は、運転開始して最大能力にて所定時間を連続経過した場合は連続経過後のサーミスターの検知温度と室内温度により第１の過熱防止温度を補正し、連続経過しない場合は直前に連続経過した際の補正を維持した第１の過熱防止温度に制御する温度補正装置とを備えている。
【００２４】
（実施の形態１）
図１は、本発明の第１の実施の形態における温風暖房機の過熱防止装置のフローチャートである。
【００２５】
温風暖房機の本体構成は、従来同様のため説明を省略する。
【００２６】
図１に示すように、運転ＳＷがONされて運転が開始され、運転制御装置１２によりあらかじめ設定された適量の燃料および駆動電圧を制御し、その制御に応じて燃料供給装置３はバーナー４に燃料を供給して燃焼し、モーター８は駆動して送風ファン７を回転する。
【００２７】
また、運転開始後の運転能力が最大であるかどうかの判定を行い、最大である場合はあらかじめ設定した時間Ｐを連続経過するかどうかを判定し、連続経過する場合は第１の過熱防止温度Ｒが連続経過後に検知するサーミスター１１の温度Ｔにより、あらかじめ設定した補正温度を加味した第１の過熱防止温度Ｒ１に変更される。
【００２８】
この補正温度は、複数の領域区分した温度Ｔに対して各々設定されており、温度Ｔが高い程、補正温度も高くなる傾向にある。
【００２９】
また、上記運転開始後の運転能力が最大でない場合、および連続経過しない場合は第１の過熱防止温度Ｒが前回運転時に設定した第１の過熱防止温度Ｒ２に変更される。
【００３０】
次に、運転制御装置１２により、燃焼中に常時検出するサーミスター１１の温度Ｔが、あらかじめ機器の燃焼状態に異常が生じた場合を想定した第１の過熱防止温度Ｒ（Ｒ１またはＲ２）に対して、Ｔ≧Ｒであるかどうかの判定、およびＴ≧Ｒである場合に運転停止の判定を行う。その判定に基づき燃料供給装置３はバーナー４への燃料供給を停止して燃焼を停止し、モーター８は駆動を停止して送風ファン６の回転を停止する。
【００３１】
（実施の形態２）
図２は、本発明の第２の実施の形態における温風暖房機の過熱防止装置のフローチャートである。
【００３２】
温風暖房機の構成においては、従来同様のため説明を省略する。
【００３３】
図２に示すように、運転ＳＷがONされて運転が開始され、運転制御装置１２によりあらかじめ設定された適量の燃料および駆動電圧を制御し、その制御に応じて燃料供給装置３はバーナー４に燃料を供給して燃焼し、モーター８は駆動して送風ファン７を回転する。
【００３４】
また、運転開始後の運転能力が一定であるかどうかの判定を行い、一定である場合はあらかじめ設定した時間Ｐを連続経過するかどうかを判定し、連続経過する場合は第１の過熱防止温度Ｒが連続経過後に検知するサーミスター１１の温度Ｔにより、あらかじめ設定した補正温度を加味した第１の過熱防止温度Ｒ１に変更される。
【００３５】
この補正温度は、複数の領域区分した温度Ｔに対して各々設定されており、温度Ｔが高い程、補正温度も高くなる傾向にある。
【００３６】
また、上記運転開始後の運転能力が最大でない場合、および連続経過しない場合は第１の過熱防止温度Ｒが前回運転時に設定した第１の過熱防止温度Ｒ２に変更される。
【００３７】
次に、運転制御装置１２により、燃焼中に常時検出するサーミスター１１の温度Ｔが、あらかじめ機器の燃焼状態に異常が生じた場合を想定した第１の過熱防止温度Ｒ（Ｒ１またはＲ２）に対して、Ｔ≧Ｒであるかどうかの判定、およびＴ≧Ｒである場合に運転停止の判定を行う。その判定に基づき燃料供給装置３はバーナー４への燃料供給を停止して燃焼を停止し、モーター８は駆動を停止して送風ファン６の回転を停止する。
【００３８】
（実施の形態３）
図３は、本発明の第３の実施の形態における温風暖房機の過熱防止装置のフローチャートである。
【００３９】
温風暖房機の構成においては、従来同様のため説明を省略する。
【００４０】
図３に示すように、運転ＳＷがONされて運転が開始され、運転制御装置１２によりあらかじめ設定された適量の燃料および駆動電圧を制御し、その制御に応じて燃料供給装置３はバーナー４に燃料を供給して燃焼し、モーター８は駆動して送風ファン７を回転する。
【００４１】
また、運転開始後の運転能力が最大であるかどうかの判定を行い、最大である場合はあらかじめ設定した時間Ｐを連続経過するかどうかを判定し、連続経過する場合は第１の過熱防止温度Ｒおよびそれより以前に機器の異常の兆候を報知する第２の過熱防止温度Ｑ（Ｒ＞Ｑ）が連続経過後に検知するサーミスター１１の温度Ｔにより、あらかじめ設定した補正温度を加味した第１の過熱防止温度Ｒ１、第２の過熱防止温度Ｑ１に変更される。
【００４２】
この補正温度は、複数の領域区分した温度Ｔに対して各々設定されており、温度Ｔが高い程、補正温度も高くなる傾向にある。
【００４３】
また、上記運転開始後の運転能力が最大でない場合、および連続経過しない場合は第１の過熱防止温度Ｒおよび第２の過熱防止温度Ｑが前回運転時に設定した第１の過熱防止温度Ｒ２、第２の過熱防止温度Ｑ２に変更される。
【００４４】
次に、運転制御装置１２により、燃焼中に常時検出するサーミスター１１の温度Ｔが、あらかじめ機器の燃焼状態に異常が生じる可能性のある兆候として想定した第２の過熱防止温度Ｑ（Ｑ１またはＱ２）に対して、Ｔ≧Ｑであるかどうかの判定、およびＴ≧Ｑである場合にLEDの点滅を行い、ユーザーに報知する。
【００４５】
次に、温度Ｔが、あらかじめ機器の燃焼状態に異常が生じた場合を想定した第１の過熱防止温度Ｒ（Ｒ１またはＲ２）に対して、Ｔ≧Ｒであるかどうかの判定、およびＴ≧Ｒである場合に運転停止の判定を行う。その判定に基づき燃料供給装置３はバーナー４への燃料供給を停止して燃焼を停止し、モーター８は駆動を停止して送風ファン６の回転を停止する。
【００４６】
（実施の形態４）
図４は、本発明の第４の実施の形態における温風暖房機の過熱防止装置のフローチャートである。
【００４７】
温風暖房機の構成においては、従来同様のため説明を省略する。
【００４８】
図４に示すように、運転ＳＷがONされて運転が開始され、運転制御装置１２によりあらかじめ設定された適量の燃料および駆動電圧を制御し、その制御に応じて燃料供給装置３はバーナー４に燃料を供給して燃焼し、モーター８は駆動して送風ファン７を回転する。
【００４９】
また、運転開始後の運転能力が最大であるかどうかの判定を行い、最大である場合はあらかじめ設定した時間Ｐを連続経過するかどうかを判定し、連続経過する場合は第１の過熱防止温度Ｒが連続経過後に検知するサーミスター１１の温度Ｔと室内温度Ｓにより、あらかじめ設定した補正温度を加味した第１の過熱防止温度Ｒ１に変更される。
【００５０】
この補正温度は、複数の領域区分した温度Ｔと室内温度Ｓに対して各々設定されており、温度Ｔが高い程、補正温度も高くなる傾向にある。
【００５１】
また、上記運転開始後の運転能力が最大でない場合、および連続経過しない場合は第１の過熱防止温度Ｒが前回運転時に設定した第１の過熱防止温度Ｒ２に変更される。
【００５２】
次に、運転制御装置１２により、燃焼中に常時検出するサーミスター１１の温度Ｔが、あらかじめ機器の燃焼状態に異常が生じた場合を想定した第１の過熱防止温度Ｒ（Ｒ１またはＲ２）に対して、Ｔ≧Ｒであるかどうかの判定、およびＴ≧Ｒである場合に運転停止の判定を行う。その判定に基づき燃料供給装置３はバーナー４への燃料供給を停止して燃焼を停止し、モーター８は駆動を停止して送風ファン６の回転を停止する。
【産業上の利用可能性】
【００５３】
以上のように、本発明における温風暖房機の過熱防止装置は、ほこりなどの使用環境条件を考慮して、燃焼状態の異常を想定した以外の誤動作を防止することが可能となり、ガス、石油ファンヒータやＦＦ温風機に適用できる。
【図面の簡単な説明】
【００５４】
【図１】本発明の実施の形態１における温風暖房機の過熱防止装置のフローチャート
【図２】本発明の実施の形態２における温風暖房機の過熱防止装置のフローチャート
【図３】本発明の実施の形態３における温風暖房機の過熱防止装置のフローチャート
【図４】本発明の実施の形態４における温風暖房機の過熱防止装置のフローチャート
【図５】従来の温風暖房機の過熱防止装置の構成断面図
【図６】従来の温風暖房機の過熱防止装置のフローチャート
【符号の説明】
【００５５】
１  吸気口
２  空気
３  燃料供給装置
４  バーナー
５  排ガス
６  風路
７  送風ファン
８  モーター
９  吹出口
１０  温風
１１  サーミスター
１２  運転制御装置
【図１】
2007003054.tif 000003
【図２】
2007003054.tif 000004
【図３】
2007003054.tif 000005
【図４】
2007003054.tif 000006
【図６】
2007003054.tif 000007
【図５】
2007003054.tif 000008